(57)【要約】【課題】夏季において接触冷感に優れ、且つ薄さ及び紡糸安定性に優れた弾性ストッキングの提供を目的とする。【解決手段】キュプラとポリエステルとの混撚糸を用いたものであることを特徴とする。【選択図】  図１
2017217324.tif 000002
【特許請求の範囲】
【請求項１】
キュプラとポリエステルとの混撚糸を用いたものであることを特徴とする弾性ストッキング。
【請求項２】
前記混撚糸は天然物由来の糖アルコールによる涼感加工が施されていることを特徴とする請求項１記載の弾性ストッキング。
【請求項３】
前記混撚糸を用いて筒状に丸編みで構成されていることを特徴とする請求項１又は２記載の弾性ストッキング。
【請求項４】
前記丸編みはメッシュ編みで構成されていることを特徴とする請求項３記載の弾性ストッキング。
【発明の詳細な説明】
【技術分野】
【０００１】
本発明は着用時に圧迫力が加わる弾性ストッキングに関する。
【背景技術】
【０００２】
下肢静脈流の還流を改善するのに弾性ストッキングが用いられている。
また、リンパ浮腫における圧迫療法の１つとして医療用弾性ストッキングが用いられている。
静脈血やリンパ液を心臓方向へ流れやすくするために、この弾性ストッキングは足首の圧迫圧が一番強く、太ももに向かって圧迫圧が弱くなっている。
よって、弾性ストッキングは比較的厚手の生地で製作されており、夏季において発汗し蒸れ感が生じる課題があった。
患者らは、皮膚の掻痒感により掻把行動を惹起し、皮膚創傷を生じることがある。
また、蒸れ感から不快感を生じ患者の治療モチベーション低下や装着中断といった問題が生じることもある。
これらの行動は浮腫増加や蜂窩織炎発症要因となるリスクを有しており、患者らが安心してリンパ浮腫管理を継続できる環境整備が求められている。
【０００３】
特許文献１には蒸れ感を軽減する目的で、ポリアミド繊維と弾性繊維からなるストッキングにおいて少なくともレッグ部に吸湿差率ΔＭＲが２．５％以上である生地が使用されている血流速促進弾性ストッキングを開示する。
しかし、この弾性ストッキングは接触冷感を有するものではない。
【先行技術文献】
【特許文献】
【０００４】
【特許文献１】特開２００７−０７５２３６号
【非特許文献】
【０００５】
【非特許文献１】「接触冷感向上に関する要因解析」，あいち産業科学技術総合センター研究報告２０１４，Ｐ．１００
【発明の概要】
【発明が解決しようとする課題】
【０００６】
本発明は、夏季において接触冷感に優れ、且つ薄さ及び紡糸安定性に優れた弾性ストッキングの提供を目的とする。
【課題を解決するための手段】
【０００７】
本発明に係る弾性ストッキングは、キュプラとポリエステルとの混撚糸を用いたものであることを特徴とする。
【０００８】
キュプラは、綿花を採取した後の綿実の表面に密生している２〜６ｍｍのコットンリンターと称される繊維を原料としたものである。
シルクに似た光沢があり、しなやかで肌触りが良く吸湿性がある。
キュプラはセルロース系繊維であり、このセルロース系繊維としては木材パルプを原料としたレーヨンがある。
これらセルロース系繊維は、肌に接触したときの接触冷感が生じる。
本発明では、レーヨンよりも繊維の細いキュプラを用いた。
しかし、キュプラだけでは弾性ストッキングに要求される圧迫圧が充分に得られないので、本発明は弾性糸にすべく紡績する際に、キュプラとポリエステルとの糸を撚り合せたものである。
ポリエステルはエステル縮合された合成繊維であり、高強度であるとともに後述するように糖アルコールを付加しやすい。
本発明において、キュプラとポリエステルの割合はキュプラの配合比率として２０〜４０％の範囲が好ましい。
また、キュプラ，ポリエステルに例えば、ポリウレタン等の他の弾性糸を撚り合せてもよい。
【０００９】
本発明において、前記混撚糸は天然物由来の糖アルコールによる涼感加工が施されているのが好ましい。
糖アルコールにて涼感加工を行うと、キュプラによる接触冷感に持続性を付与することができる。
糖アルコールとしては、キシリトール，ソルビトール，グリセロール，エリスリトール，マルチトール，マンニトール等が例として挙げられる。
本発明においては、天然物から抽出したキシリトールが好ましい。
涼感加工としては繊維への練り込み、吸着、あるいはマイクロカプセル吸着等、各種方法が採用される。
【００１０】
本発明に係る弾性ストッキングは、前記混撚糸を用いて筒状に丸編みで構成されていてよく、丸編みはメッシュ編みで構成されていてよい。
弾性ストッキングとしては、足首の圧迫圧が１０〜４０ｍｍＨｇ、好ましくは２０〜４０ｍｍＨｇがよい。
【発明の効果】
【００１１】
本発明に係る弾性ストッキングは、キュプラとポリエステルを組み合せることで、さらには糖アルコールによる涼感加工を行うことで、これまで市販されている医療用の弾性ストッキングと同等の圧迫圧を確保しつつ、涼感性に優れた弾性ストッキングが得られる。
また、本発明に係る弾性ストッキングは冷凍庫に保管した後に使用するとさらに効果的である。
【図面の簡単な説明】
【００１２】
【図１】着圧値の測定結果を示す。
【図２】通気性の測定結果を示す。
【図３】生地の温度分布を示す。
【図４】測定部位を示す。
【図５】衣服内温度の推移を示す。
【図６】衣服内湿度の推移を示す。
【図７】発汗量の推移を示す。
【図８】清涼感と風合い感の主観的評価結果を示す。
【発明を実施するための形態】
【００１３】
本発明に係る弾性ストッキングについて、市販品（従来品）と比較調査したので、以下説明する。
本実施例に係る弾性ストッキングの混撚糸としては、キュプラ：ポリエステル：ポリウレタン＝２８．４％：６１．１％：１０．５％のものを用いた。
【００１４】
まず、生地室温２０℃から４０℃センサーへの瞬間熱移動を測定した接触冷温感評価値は、０．２４４Ｗ／ｃｍ２であったことから、高い接触冷温感機能を有していた。
【００１５】
＜着圧値＞
圧力計（Ｐｉｃｏ  ｐｒｅｓｓ，ナック商会）を用いて、健康成人の下肢５部位の着圧値を計測した。
対象者は、健康成人女性２名（ストッキングサイズＭ）の平均値を算出した。リンパ浮腫患者に使用されているストッキングを３種類選択し、本発明品と値を比較した。
その結果を図１の表に示す。
医療器具としての条件である着圧値３０ｍｍＨｇを足背部で満たしており、医療器具として認められる着圧値であった。
【００１６】
＜通気性＞
ＪＩＳＬ１０９６  （８．２６）Ａ法フラジール型法で測定した。
リンパ浮腫患者に使用されているストッキングを３種類選択し、本発明品と値を比較した。
その結果を図２の表に示す。
本発明品は、足底部以外の４部位において最も高い通気性を示した。
【００１７】
図３に生地の温度分布の比較を示す。
次に、夏用弾性ストッキングの衣服内気候を検証することを目的として、健康成人女性に対し、夏季環境の恒温恒湿実験室で本発明品と従来品とを交互に装着し、衣服内温度・湿度・発汗量を比較した。
［方法］
健康成人女性１名を対象とした。セッティングは、恒温恒湿室で本邦の夏季環境を模した室温３７℃・湿度７０％に設定した。
実験前１時間から飲食禁止とし、排尿を実験前に済ませた。
プロトコル：恒温恒湿室での馴化時間２０分間・従来品２０分間装着・休息３０分間・馴化時間２０分間・本発明品を２０分間装着とした。
測定部位と測定方法：図４に示すように膝窩５ｃｍ下部位にマーキングし、皮膚とストッキング間の衣服内温湿度を温湿度計（ＴＳＤＬ＿ＨＴ２，テクノサイエンス株式会社）、発汗量を発汗計（ＳＮＴ−２００，ルーセット・ストラテジー株式会社）で計測した。
いずれも、ストッキング装着後２０分間連続計測した。
［結果］
対象者は４０歳代女性で、Body Mass Index  ２１．５ｋｇ／ｍ２、下肢周囲径は足首が２１．０（左）、２１．５（右）ｃｍであった。
実験開始から終了後にかけて、皮膚トラブル発症なく安全に遂行した。
図５に示すように装着開始時に、衣服内温度が本発明品は従来品より約１．５℃低かったが、約１分３０秒経過後に従来品の方が低い温度となった。
湿度は、図６に示すように装着後１分経過後から本発明品が従来品より約５％低い状態を保ち、１０分経過後に同等となった。
発汗量は、図７に示すように装着後約１０分まで本発明品の方が最大約７ｇ／ｍ２／ｍｉｎ少なく、その後本発明品の方が多くなった。
［考察］
衣服内温湿度・発汗量の各推移値から、ストッキング装着直後に従来品は発汗量が多く、それにより湿度が高く保持され、発汗による皮膚冷却効果で皮膚温度が下降したと考えられる。
本発明品は、初期の発汗が抑えられたことで湿度が低い状態で保たれ、温度の降下が緩やかであったと考えられる。
発汗量の緩やかな上昇は、温度の急激な変化を防いでおり、弾性ストッキング内の急激な蒸れ感を防ぐ効果があると推測される。
［まとめ］
健常成人女性１名に対する夏季環境内での検証結果では、本発明品は装着時の急激な発汗が抑えられ、温湿度の急激な変化が防がれていた。
【００１８】
＜快適性＞
本発明品の快適性を従来品と比較検証することを目的とし、下肢リンパ浮腫患者が装着した後快適性についてアンケート調査を実施した。
［方法］
対象者は、リンパ浮腫外来に通院中の下肢リンパ浮腫患者とし、着圧値に適応する患者の中から医療者の同意を得た者４名をリクルートした。
外来診察時に本発明品を装着し、約１０分〜２時間装着した後で普段使用中の従来品と比較して調査アンケートに回答した。
アンケートは、清涼感・風合いについてVisual Analog Scale(VAS)で対象者自身が本発明品と従来品を各々評点した。
［結果］
下肢リンパ浮腫患者４名全員が、婦人科癌術後の続発性リンパ浮腫であり、従来品のストッキングサイズはＳまたはＸＳの者であった。
快適性のアンケートでは、清涼感は全員が本発明品の方が従来品より高値を示し、風合い感は２名が高値、１名が同等、１名が低値を示した。
風合い感は、患者らの嗜好が理由としてそれぞれ記載されていた。
［まとめ］
下肢リンパ浮腫患者に対する快適性検証では、本発明品は装着時の清涼感は全員が感じており夏季に装着する際の暑さを軽減できることが期待される。
風合い感は、嗜好の違いはあるものの、４名中３名は風合いが良いまたは同等である結果であり、日常生活で快適に装着できる可能性が広がったと考えられる。
【００１９】
以上のことから本発明に係る弾性ストッキングは、夏季においても装着時に清涼感を感じ、且つ発汗を抑えることで患者らのリンパ浮腫管理モチベーション向上や皮膚創傷予防につながり、浮腫悪化防止及び蜂窩織炎発症・再発予防に寄与できることが期待される。
【図１】
2017217324.tif 000003
【図２】
2017217324.tif 000004
【図３】
2017217324.tif 000005
【図４】
2017217324.tif 000006
【図５】
2017217324.tif 000007
【図６】
2017217324.tif 000008
【図７】
2017217324.tif 000009
【図８】
2017217324.tif 000010